【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
式Ｉの単位を含むポリ（ラクトン）：
【化１】
2014533322.tif 000001
（式中、
各ｂ＝０または１であり；
ｗ：ｒ：ｓ：ｔのモル比＝（０−３０）：（９９．９−２）：（０−９８）：（０−３０）であり、ここで
ｗは、反応後および架橋後のα−メチレンラクトン繰り返し単位の数であり、ｒはα−メチレンラクトン繰り返し単位の数であり、ｓはコモノマ繰り返し単位の数であり、ｔは架橋された繰り返し単位の数であり、および
ｗ＋ｓ＋ｔは少なくとも１であり；
Ｒ１、Ｒ２、およびＲ３はそれぞれ独立して、水素またはＣ１−４アルキルであり；
Ｒ４、Ｒ５、Ｒ６、およびＲ７はそれぞれ独立して、水素、Ｃ１−４アルキル、またはＦであり、ここで、Ｆはポリ（ラクトン）Ｉにある特性を付与する官能基であり、Ｒ４、Ｒ５、Ｒ６、およびＲ７の少なくとも１つおよび２つ以下はＦであり、および、Ｆはそれぞれの場合において同じか、または異なり；
Ｑ’は任意でヘテロ原子を含むＣ１−３０ヒドロカルビル基であり、Ｑ’は少なくとも第２のポリマ骨格に共有結合により結合され、ここで前記第２のポリマ骨格は式Ｉの単位を含み；
Ｘは求核残基であり；
Ｇ’は追加のポリマ骨格への単結合であり、またはＧ’は１〜５の追加のポリマ骨格と架橋しているＣ１−３０ヒドロカルビル基であり、ここで、前記追加のポリマ骨格は式Ｉの単位を含み；
ｗ＞０である場合、単位（ｗ＋ｒ＋ｓ＋ｔ）の総数は１００以上であり、
ｗ＝０かつｔ＞０である場合、単位（ｒ＋ｓ＋ｔ）の総数は５，０００以上であり；
ｗ＝０かつｔ＝０である場合、単位の総数は（ｒ＋ｓ）であり、５，０００以上の重量平均分子量を提供するのに有効である）。
【請求項２】
Ｉ−ｂ式を有する、請求項１に記載のポリ（ラクトン）：
【化２】
2014533322.tif 000002
（式中、
各ｂ＝０または１であり；
ｗ：ｒ：ｓ：ｔの各々の合計のモル比＝（０−３０）：（９９．９−２）：（０−９８）：（０．０１−３０）であり、ここで、
ｗは、反応後および架橋後のα−メチレンラクトン繰り返し単位の数であり、ｒはα−メチレンラクトン繰り返し単位の数であり、ｓはコモノマ繰り返し単位の数であり、および、ｔは架橋された繰り返し単位の数であり、ならびに
ｗ、ｒ、ｓ、およびｔの各値は、ｗ、ｒ、ｓ、およびｔの任意の他の値とは独立しており；
Ｒ１、Ｒ２、およびＲ３はそれぞれ独立して、水素またはＣ１−４アルキルであり；
Ｒ４、Ｒ５、Ｒ６、およびＲ７はそれぞれ独立して水素、Ｃ１−４アルキルまたはＦであり、ここで、Ｆはポリ（ラクトン）Ｉ−ｂにある特性を付与する官能基であり、Ｒ４、Ｒ５、Ｒ６、およびＲ７の少なくとも１つおよび２つ以下はＦであり、および、Ｆはそれぞれの場合において同じか、または異なり；
Ｑ’は架橋基と反応後の、および任意で１〜５の追加のポリマ骨格と架橋されたＣ１−３０ヒドロカルビル基であり；
Ｇ’は追加のポリマ骨格への単結合であり、あるいはＧ’は１〜５の追加のポリマ骨格と架橋されたＣ１−３０ヒドロカルビル基であり；
Ｇは単結合またはＣ１−３０ヒドロカルビル基であり；
ｃ＝１−５およびｄ＝０−５であり、ただし、ｃ＋ｄ＝１−５であり、ならびに
ｗ＞０である場合、単位（ｗ＋ｒ＋ｓ＋ｔ）の総数は１００以上であり、
ｗ＝０である場合、単位（ｒ＋ｓ＋ｔ）の総数は５，０００以上である）。
【請求項３】
式Ｉ−ｅを有する、請求項１に記載のポリ（ラクトン）：
【化３】
2014533322.tif 000003
（式中、
各ｂ＝０または１であり；
ｒ：ｔの各々の合計のモル比＝（９９．９９−７０）：（０．０１−３０）であり、ここで、ｒおよびｔの各値は、ｒおよびｔの任意の他の値とは独立しており；
Ｒ１、Ｒ２、およびＲ３はそれぞれ独立して、水素またはＣ１−４アルキルであり；
Ｇ’は追加のポリマ骨格への単結合であり、あるいはＧ’は１〜５の追加のポリマ骨格と架橋されたＣ１−３０ヒドロカルビル基であり、
Ｇは単結合またはＣ１−３０ヒドロカルビル基であり；
ｃ＝１−５およびｄ＝０−４であり、ただし、ｃ＋ｄ＝１−５である）。
【請求項４】
式Ｉ−ｆを有する、請求項１に記載のポリ（ラクトン）：
【化４】
2014533322.tif 000004
（式中、
各ｂ＝０または１であり；
ｗ：ｒ：ｓ：ｔの各々の合計のモル比＝（０．０１−３０）：（９９．９９−２）：（０−９８）：（０−３０）であり、ここで、
ｗは、反応後および架橋後のα−メチレンラクトン繰り返し単位のモル分率であり、ｒはα−メチレンラクトン繰り返し単位の数であり、ｓはコモノマ繰り返し単位の数であり、および、ｔは架橋された繰り返し単位の数であり、ならびに
ｗ、ｒ、ｓ、およびｔの各値は、ｗ、ｒ、ｓ、およびｔの他の全ての値とは独立しており；
Ｒ１、Ｒ２、およびＲ３はそれぞれ独立して、水素またはＣ１−４アルキルであり；
Ｒ４、Ｒ５、Ｒ６、およびＲ７はそれぞれ独立して、水素、Ｃ１−４アルキル、またはＦであり、ここで、Ｆはポリ（ラクトン）Ｉ−ｆにある特性を付与する官能基であり、Ｒ４、Ｒ５、Ｒ６、およびＲ７の少なくとも１つおよび２つ以下はＦであり、および、Ｆはそれぞれの場合において同じか、または異なり；
Ｇ’は追加のポリマ骨格への単結合であり、あるいはＧ’は１〜５の追加のポリマ骨格と架橋されたＣ１−３０ヒドロカルビル基であり；
Ｑ’は１〜５の追加のポリマ骨格と架橋されたＣ１−３０ヒドロカルビル基であり、ここで、前記追加のポリマ骨格は、式Ｉ−ｆの単位を含み；ならびに
単位（ｗ＋ｒ＋ｓ＋ｔ）の総数は５，０００以上である）。
【請求項５】
式Ｉ−ｇを有する、請求項１に記載のポリ（ラクトン）：
【化５】
2014533322.tif 000005
（式中、
各ｂ＝０または１であり；
（ｗ１＋ｗ２＋ｗ３＋ｗ４）：ｒ：ｓ：ｔの各々の合計のモル比＝（０．０１−３０）：（９９．９９−２）：（０−９８）：（０−３０）であり、ここで、
（ｗ１＋ｗ２＋ｗ３＋ｗ４）は反応後かつ架橋された後のα−メチレンラクトン繰り返し単位の数であり、ここで、ｗ１は第１のポリマ骨格における架橋された後のα−メチレンラクトン繰り返し単位の数であり、少なくとも１であり、ｗ２は、第１のポリマ骨格における反応後の架橋されていないα−メチレンラクトン繰り返し単位の数であり、ｗ３＝１であり、および、ｗ４は、架橋基と反応後の、および任意で１〜５の追加のポリマ骨格と架橋された、追加のポリマ骨格におけるα−メチレンラクトン繰り返し単位の数であり、
ｒはα−メチレンラクトン繰り返し単位の数であり、
ｓはコモノマ繰り返し単位の数であり、
ｔは架橋された繰り返し単位の数であり、ならびに
ｗ１、ｗ２、ｗ４、ｒ、ｓ、およびｔの各値は、ｗ１、ｗ２、ｗ４、ｒ、ｓ、およびｔの任意の他の値とは独立しており；ならびに
Ｑ’は架橋基と反応後の、および任意で１〜５の追加のポリマ骨格と架橋されたＣ１−３０ヒドロカルビル基であり、ここで、前記追加のポリマ骨格は、式Ｉ−ｇの単位を含み；
Ｒ１、Ｒ２、およびＲ３はそれぞれ独立して、水素またはＣ１−４アルキルであり；
Ｒ４、Ｒ５、Ｒ６、およびＲ７はそれぞれ独立して、水素、Ｃ１−４アルキル、またはＦであり、ここで、Ｆはポリ（ラクトン）Ｉ−ｇにある特性を付与する官能基であり、Ｒ４、Ｒ５、Ｒ６、およびＲ７の少なくとも１つおよび２つ以下はＦであり、および、Ｆはそれぞれの場合において同じか、または異なり；
Ｇ’は追加のポリマ骨格への単結合であり、あるいはＧ’は１〜５の追加のポリマ骨格と架橋されるＣ１−３０ヒドロカルビル基であり；
ＱはＣ１−３０ヒドロカルビル基であり、Ｘは求核残基であり；
Ｌは脱離基であり；
ｆ＝１−５およびｅ＝１−５であり、ただし、ｅ＋ｆ＝１−５であり；ならびに
単位（ｗ１＋ｗ２＋ｗ３＋ｗ４＋ｒ＋ｓ＋ｔ）の総数は１００以上である）。
【請求項６】
式Ｉ−ｈを有する、請求項１に記載のポリ（ラクトン）：
【化６】
2014533322.tif 000006
（式中、
各ｂ＝０または１であり；
ｗ：ｒ：ｓのモル比＝（０．０１−３０）：（９９．９９−２）：（０−９７．９９）であり、ここで、ｗは、反応後および架橋後のα−メチレンラクトン繰り返し単位のモル分率であり、ｒはα−メチレンラクトン繰り返し単位の数であり、および、ｓはコモノマ繰り返し単位の数であり；
Ｒ４、Ｒ５、Ｒ６、およびＲ７はそれぞれ独立して、水素、Ｃ１−４アルキル、またはＦであり、ここで、Ｆはポリ（ラクトン）Ｉ−ｈにある特性を付与する官能基であり、Ｒ４、Ｒ５、Ｒ６、およびＲ７の少なくとも１つおよび２つ以下はＦであり、および、Ｆはそれぞれの場合において同じか、または異なり；
Ｑ’は１〜５の追加のポリマ骨格と架橋されたＣ１−３０ヒドロカルビル基であり、ここで、前記追加のポリマ骨格は、式Ｉ−ｈの単位を含み；
単位（ｗ＋ｒ＋ｓ）の総数は１００以上である）。
【請求項７】
式Ｉ−ｉを有する、請求項１に記載のポリ（ラクトン）：
【化７】
2014533322.tif 000007
（式中、
各ｂ＝０または１であり；
（ｗ１＋ｗ２＋ｗ３＋ｗ４）：ｒ：ｓ：ｔの各々の合計のモル比＝（０．０１−３０）：（９９．９−２）：（０−９８）：（０−３０）であり、ここで、
（ｗ１＋ｗ２＋ｗ３＋ｗ４）は反応後および架橋後のα−メチレンラクトン繰り返し単位の数であり、ここで、ｗ１は第１のポリマ骨格における架橋後のα−メチレンラクトン繰り返し単位の数であり、少なくとも１であり、ｗ２は、第１のポリマ骨格における反応後の架橋されていないα−メチレンラクトン繰り返し単位の数であり、ｗ３＝１であり、および、ｗ４は、架橋基と反応後の、および任意で１〜５の追加のポリマ骨格と架橋された、追加のポリマ骨格におけるα−メチレンラクトン繰り返し単位の数であり、
ｒはα−メチレンラクトン繰り返し単位の数であり、
ｓはコモノマ繰り返し単位の数であり、ならびに
ｗ１、ｗ２、ｗ４、ｒ、ｓ、およびｔの各値は、ｗ１、ｗ２、ｗ４、ｒ、ｓ、およびｔの任意の他の値とは独立しており；
Ｒ１、Ｒ２、およびＲ３はそれぞれ独立して、水素またはＣ１−４アルキルであり；
Ｒ４、Ｒ５、Ｒ６、およびＲ７はそれぞれ独立して、水素、Ｃ１−４アルキル、またはＦであり、ここで、Ｆはポリ（ラクトン）Ｉ−ｉにある特性を付与する官能基であり、Ｒ４、Ｒ５、Ｒ６、およびＲ７の少なくとも１つおよび２つ以下はＦであり、および、Ｆはそれぞれの場合において同じか、または異なり；
Ｑ’は架橋基と反応後の、および任意で１〜５の追加のポリマ骨格と架橋されたＣ１−３０ヒドロカルビル基であり；
Ｑは１〜５の追加のポリマ骨格と架橋されたＣ１−３０ヒドロカルビル基であり、
Ｘは求核残基であり；
Ｌは脱離基であり；
ｆ＝１−５およびｅ＝１−５であり、ただし、ｅ＋ｆ＝１−５であり；ならびに
単位（ｗ１＋ｗ２＋ｗ３＋ｗ４＋ｒ＋ｓ）の総数は１００以上である）。
【請求項８】
式Ｉ−ｊを有する、請求項１に記載のポリ（ラクトン）：
【化８】
2014533322.tif 000008
（式中、
各ｂ＝０または１であり；
ｗ：ｒのモル比＝（０．０１−３０）：（９９．９９−７０）であり、ここで、ｗは、反応後および架橋後のα−メチレンラクトン繰り返し単位のモル分率であり、および、ｒはα−メチレンラクトン繰り返し単位の数であり；
Ｘは求核残基であり；
Ｑ’は架橋基と反応後のＣ１−３０ヒドロカルビル基であり、ここで、少なくとも１つのＱ’は１〜５の追加のポリマ骨格と架橋され；ならびに
単位（ｗ＋ｒ）の総数は１００以上である）。
【請求項９】
式Ｉ−ｋを有する、請求項１に記載のポリ（ラクトン）：
【化９】
2014533322.tif 000009
（式中、
各ｂ＝０または１であり；
（ｗ１＋ｗ２＋ｗ３＋ｗ４）：ｒの各々の合計のモル比＝（０．０１−３０）：（９９．９−７０）であり、ここで、
（ｗ１＋ｗ２＋ｗ３＋ｗ４）は反応後かつ架橋後のα−メチレンラクトン繰り返し単位の数であり、ここで、ｗ１は第１のポリマ骨格における架橋後のα−メチレンラクトン繰り返し単位の数であり、少なくとも１であり、ｗ２は、第１のポリマ骨格における反応後の架橋されていないα−メチレンラクトン繰り返し単位の数であり、ｗ３＝１であり、および、ｗ４は、架橋基と反応後の、および任意で１〜５の追加のポリマ骨格と架橋された、追加のポリマ骨格におけるα−メチレンラクトン繰り返し単位の数であり、ならびに
ｒはα−メチレンラクトン繰り返し単位の数であり；
ｗ１、ｗ２、ｗ４、およびｒの各値は、ｗ１、ｗ２、ｗ４、ｒ、ｓ、およびｔの任意の他の値とは独立しており；
Ｑ’は架橋基と反応後の、および任意で１〜５の追加のポリマ骨格と架橋されたＣ１−３０ヒドロカルビル基であり；
Ｑは１〜５の追加のポリマ骨格と架橋されたＣ１−３０ヒドロカルビル基であり、
Ｘは求核残基であり；
Ｌは脱離基であり；
ｆ＝１−５およびｅ＝１−５であり、ただし、ｅ＋ｆ＝１−５であり；ならびに
単位（ｗ１＋ｗ２＋ｗ３＋ｗ４＋ｒ）の総数は１００以上である）。
【請求項１０】
Ｒ４およびＲ５が水素であり、Ｒ６がメチルまたは水素であり、および、Ｒ７がカルボン酸である、請求項１〜９のいずれかに記載のポリ（ラクトン）。
【請求項１１】
ｃ＝１−４である、請求項１〜９のいずれかに記載のポリ（ラクトン）。
【請求項１２】
Ｇは単結合あるいは、０−６の（Ｃ１−６）アルコキシカルボニル基、０−６のオキシカルボニル基、０−６のアミノカルボニル基、もしくは前記の少なくとも１つを含む組み合わせで置換されたＣ１−１２アルキル、０−６の（Ｃ１−６）アルコキシカルボニル基、０−６のオキシカルボニル基、０−６のアミノカルボニル基、もしくは前記の少なくとも１つを含む組み合わせで置換されたＣ２−１２アルケニル、０−６の（Ｃ１−６）アルコキシカルボニル基、０−６のオキシカルボニル基、０−６のアミノカルボニル基、もしくは前記の少なくとも１つを含む組み合わせで置換されたＣ２−１２アルキニル、０−４の（Ｃ１−６）アルコキシカルボニル基、０−４のオキシカルボニル基、０−４のアミノカルボニル基、もしくは前記の少なくとも１つを含む組み合わせで置換されたＣ３−８シクロアルキル、０−４の（Ｃ１−６）アルコキシカルボニル基、０−４のオキシカルボニル基、０−４のアミノカルボニル基、もしくは前記の少なくとも１つを含む組み合わせで置換されたＣ３−８ヘテロシクロアルキル、０−６の（Ｃ１−６）アルコキシカルボニル基、０−６のオキシカルボニル基、０−６のアミノカルボニル基、もしくは前記の少なくとも１つを含む組み合わせで置換されたＣ６−１２アリール、０−４の（Ｃ１−６）アルコキシカルボニル基、０−４のオキシカルボニル基、０−４のアミノカルボニル基、もしくは前記の少なくとも１つを含む組み合わせで置換されたＣ４−１２ヘテロアリール、０−６のオキシカルボニル基、０−６のアミノカルボニル基、もしくは前記の少なくとも１つを含む組み合わせで置換されたＣ２−２４（Ｃ１−４アルキルオキシ）ｅ（Ｃ１−４アルキル））基（式中、ｅ＝１−１６である）である、請求項１〜９のいずれかに記載のポリ（ラクトン）。
【請求項１３】
さらに、２つのＦ基の間に架橋を含み、任意選択で前記架橋が、ジオールもしくはより高級なポリオール、ジイソシアネートもしくはより高級なイソシアネート、ジアミンもしくはより高級なアミン、二酸もしくはより高級な酸、そのＣ１−３アルキルエステル、もしくはその酸ハロゲン化物、ジエポキシドもしくはより高級なエポキシド、アルコール−アミン、２つ以上のエチレン不飽和を有する化合物、多価イオン、または前記架橋剤の少なくとも１つを含む組み合わせの架橋残基である、請求項１〜９のいずれかに記載のポリ（ラクトン）。
【請求項１４】
ｗ＝０およびｔ＝０である場合、（ｒ＋ｓ）の合計は、５００，０００ｇ／ｍｏｌ以上の重量平均分子量を提供するのに有効である、請求項１〜１３のいずれかに記載のポリ（ラクトン）。
【請求項１５】
ｃ＝１−４である、請求項１４に記載のポリ（ラクトン）。